(57)【要約】【課題】従来の問題を解決するため、体温測定機能を有するリモコンを提供する。【解決手段】電気装置を遠隔操作するためのリモコンは、ハウジングと、ハウジング内に設けられて入力信号によって電気装置を遠隔操作するリモコンモジュールと、ハウジング内に設けられて赤外線で体温を測定する体温測定モジュールとを含む。【選択図】図２
0003103318.tif 000002
【実用新案登録請求の範囲】
【請求項１】
電気装置を遠隔操作するためのリモートコントローラー（リモコン）は、
ハウジングと、
ハウジング内に設けられて入力信号によって電気装置を遠隔操作するリモコンモジュールと、
ハウジング内に設けられて赤外線で体温を測定する体温測定モジュールとを含むことを特徴とするリモコン。
【請求項２】
前記リモコンは更に、体温測定モジュールに測定された体温データを表示する表示モジュールを含むことを特徴とする請求項１記載のリモコン。
【請求項３】
前記表示モジュールが液晶ディスプレイであることを特徴とする請求項２記載のリモコン。
【請求項４】
前記リモコンは更に、体温測定モジュールに測定された体温データを保存する保存モジュールを含むことを特徴とする請求項１記載のリモコン。
【請求項５】
前記リモコンモジュールは、入力信号を入力するための複数のリモコンボタンと、電気装置を遠隔操作するための赤外線を発する発光素子とを含み、前記リモコンは更に、複数のリモコンボタンと発光素子と電気的に接続され、リモコンボタンで入力された入力信号によって発光素子の発光を制御する制御ユニットを含むことを特徴とする請求項１記載のリモコン。
【請求項６】
前記制御ユニットは体温測定モジュールからの体温データを受信し、体温データに基づいて電気装置を遠隔操作することを特徴とする請求項５記載のリモコン。
【請求項７】
前記リモコンモジュールの発光素子が赤外線ＬＥＤであることを特徴とする請求項５記載のリモコン。
【請求項８】
前記体温測定モジュールが赤外線センサーであることを特徴とする請求項１記載のリモコン。
【考案の詳細な説明】
【技術分野】
【０００１】
この考案は家電製品などの電気装置のリモートコントローラー（以下リモコンと略する）に関し、特に体温測定機能を有する家電製品などの電気装置のリモコンに関する。
【背景技術】
【０００２】
現在、リモコンは日常生活に欠かせないものとなっている。図１を参照する。図１は従来のリモコン２のブロック図である。リモコン２は赤外線を発する赤外線ＬＥＤ（発光ダイオード）４と、入力信号を受信する入力信号受信モジュール６と、赤外線ＬＥＤ４と入力信号受信モジュール６との間に電気的に接続される制御モジュール８とを含む。制御モジュール８は入力信号受信モジュール６の受信した入力信号によってモールス符号のような赤外線制御信号を生じさせて赤外線ＬＥＤ４を制御し、進んでリモコンの属する電気装置を制御する。
【０００３】
しかし、現在のリモコンの機能は家電製品などの電気装置に対する遠隔操作にとどまっている。したがってこの考案の趣旨は、リモコンのような日常生活に親しまれている装置に新しい機能を付与して便利性を向上させることである。
【考案の開示】
【考案が解決しようとする課題】
【０００４】
この考案は前述の問題を解決するため、体温測定機能を有するリモコンを提供する。
【課題を解決するための手段】
【０００５】
この考案は電気装置を遠隔操作するためのリモコンを提供する。当リモコンは、ハウジングと、ハウジング内に設けられて入力信号によって電気装置を遠隔操作するリモコンモジュールと、ハウジング内に設けられて赤外線で体温を測定する体温測定モジュールとを含む。
【考案の効果】
【０００６】
この考案は体温測定機能を有するリモコンを提供する。当リモコンは電気装置を遠隔操作するのみならず、体温測定機能も有する。なお、この考案によるリモコンは測定された体温データに基づき、電気装置を使用者の状況に応じて制御することも可能である。
【考案を実施するための最良の形態】
【０００７】
かかる装置の特徴を詳述するために、具体的な実施例を挙げ、図示を参照にして以下に説明する。
【０００８】
図２を参照する。図２はこの考案による電気装置を遠隔操作するためのリモコン１０のブロック図である。リモコン１０はハウジング１２と、ハウジング１２内に設けられてリモコンを制御するほか、入力信号によって電気装置を遠隔操作するリモコンモジュール１４とを含む。リモコンモジュール１４は、入力信号を入力するための複数のリモコンボタン１６と、電気装置を遠隔操作するための赤外線を発する赤外線ＬＥＤなどの発光素子１８とを含む。リモコン１０は更に、リモコンボタン１６と発光素子１８と電気的に接続されてリモコンボタン１６で入力した入力信号によって発光素子１８の発光を制御する制御ユニット２０を備える。
【０００９】
リモコン１０は更に、ハウジング１２内に設けられて赤外線センサーなどの体温測定モジュール２２を備える。体温測定モジュール２２は、押されると体温測定モジュールを起動する体温測定ボタン２３を備える。リモコン１０は更に体温測定モジュール２２によって測定された体温データを表示する液晶ディスプレイなどの表示モジュール２４と、体温測定モジュール２２によって測定された体温データを保存する保存モジュール２６と、リモコン１０に必需な電力を供給するバッテリーなどの電源モジュール２８と、リモコン１０を開閉する電源スイッチ２９と、スイッチ信号でリモコンモジュール１４と体温測定モジュール２２を切り替える機能スイッチボタン３１とを含む。
【００１０】
図３を参照する。図３はこの考案によるリモコン１０の外観を表す説明図である。リモコン１０のハウジング１２は開閉できるカバー３０とメインハウジング３２を備える。カバー１２を閉めることによってメインハウジング３２にあるリモコンボタン１６からほこりや汚れはよけられる。リモコン１０を使用しようとする場合、カバー１０を開けてリモコンボタン１６でそれぞれの機能に対応する入力信号を入力する。例えば、リモコン１０がエアコンディショナー（以下にエアコンと略する）に属すれば、リモコンボタン１６は送風、タイマー、温度制御などの機能に関わる。なお、使用者はメインハウジング３２にある表示モジュール２４で電気装置の状態と設定を見られる。リモコン１０のハウジング１２は更に、リモコン１０を開閉する電源スイッチ２９と、スイッチ信号でリモコンモジュール１４と体温測定モジュール２２を切り替える機能スイッチボタン３１とを含む。使用者は機能スイッチボタン３１を押して体温測定機能に切り替えてから体温測定ボタン２３を押せば、体温測定モジュール２２は作動する。
【００１１】
図４を参照する。図４はリモコン１０の平面図である。メインハウジング３２には第一孔３４と第二孔３６が設けられる。リモコンモジュール１４の発光素子１８は第一孔３４を向いて電気装置を遠隔操作するための赤外線を発し、体温測定モジュール２２は第二孔３６を通して人体から発する赤外線を感知して体温を測定する。使用者は図２における機能スイッチボタン３１でリモコン機能と体温測定機能を切り替える。
【００１２】
図５を参照する。図５はリモコン１０で体温を測定することを表す説明図である。使用者は機能スイッチボタン３１で体温測定機能と切り替えて体温測定ボタン２３を押し、第二孔３６を額に向けば、体温測定モジュール２２は第二孔３６を通して人体から発する赤外線を感知して体温を測定する。体温測定モジュール２２に測定された体温データは制御モジュール２０に送信され、保存モジュール２６に保存される。こうして体温データは確実に記録されて使用者の参考になりうる。体温データは表示モジュール２４に表示されることも可能である。
【００１３】
更にリモコン１０を、制御モジュール２０が体温測定モジュール２２からの体温データに基づいて電気装置を制御できるように設計することの可能である。例えば、リモコン１０がエアコンに属する場合、リモコン１０で体温を測定したら、体温測定モジュール２２は測定された体温データを制御モジュール２０に送信し、制御モジュール２０はそれに基づいて最適温度、最適風向などの最適環境パラメーターを設定してリモコンモジュール１４の発光素子１８の発光を制御することによって、エアコンを制御する。こうして使用者の体温パラメーターもエアコンの制御に関わるようになり、エアコンは使用者の体温に応じて最適温度を調整できる。
【００１４】
この考案によるリモコン１０はエアコンのほか、除湿器、空気清浄器、扇風機、テレビ、ＤＶＤ／ＶＣＤプレイヤー、ステレオなどに適する。即ち、電気装置のリモコンはすべてこの考案の範疇に属する。
【００１５】
以上はこの考案に好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録の範囲に属するものとする。
【産業上の利用可能性】
【００１６】
この考案は体温測定機能を有するリモコンを提供する。当リモコンは電気装置を遠隔操作するのみならず、体温測定機能も有する。なお、この考案によるリモコンは測定された体温データに基づき、電気装置を使用者の状況に応じて制御することも可能である。
【図面の簡単な説明】
【００１７】
【図１】従来のリモコンのブロック図である。
【図２】この考案による電気装置を遠隔操作するリモコンのブロック図である。
【図３】この考案によるリモコンの外観を表す説明図である。
【図４】この考案によるリモコンの平面図である。
【図５】この考案によるリモコンで体温を測定することを表す説明図である。
【符号の説明】
【００１８】
２        リモコン
４        赤外線ＬＥＤ
６        入力信号受信モジュール
８        制御モジュール
１０      リモコン
１２      ハウジング
１４      リモコンモジュール
１６      リモコンボタン
１８      発光素子
２０      制御ユニット
２２      体温測定モジュール
２３      体温測定ボタン
２４      表示モジュール
２６      保存モジュール
２８      電源モジュール
２９      電源スイッチ
３０      カバー
３１      機能スイッチボタン
３２      メインハウジング
３４      第一孔
３６      第二孔
【図１】
0003103318.tif 000003
【図２】
0003103318.tif 000004
【図３】
0003103318.tif 000005
【図４】
0003103318.tif 000006
【図５】
0003103318.tif 000007